(57)【要約】【課題】鉢植えや宝飾品等を効果的にディスプレイするディスプレイ容器を提供する。【解決手段】  底鉢１、膨張物４、受け皿５、鉢植え台座８、展示物１５、保護蓋１７、通気蓋１９、とより構成し、該受け皿５内には植物や宝飾品等である該展示物１５を設置し、該受け皿４の底部外側には該展示物１５の位置を高めるべく、注がれた水を吸収することで膨張する該膨張物４を設け、また受取った人がより一層嬉しく感じるよう、該受け皿５の外縁にはシール或いはプリントにより言葉や絵等の図柄７を設ける。使用後は該膨張物４、展示物１５、鉢植え台座８等を除いて容器として筆立てとして使用できる。【選択図】  図１
0003120311.tif 000002
【実用新案登録請求の範囲】
【請求項１】
底鉢、膨張物、受け皿、鉢植え台座、展示物、保護蓋、通気蓋により構成され、
該底鉢は、内縁上端に螺旋を設け、外縁底部には内側に陥没した溝を設けてなり、
該膨張物は、ブロック状の形態をなすと共に、均一に該底鉢内に敷設され、
該受け皿は、その底縁に数個の切欠口を間隔を空けて環状に形成してなると共に、該膨張物上方に設置され、
該鉢植え台座は、収容空間が形成され、壁面には該収容空間と相通する切欠口を具有し、また背面には該受け皿を受けて固定する固定嵌合部を備えてなり、
鑑賞する宝飾品や植物等である該展示物と、
該保護蓋は、外縁下端の窄まった個所に該底鉢上端の螺旋と螺設固定する螺旋を設け、また該受け皿と該鉢植え台座が昇降するのを妨げないよう、少なくとも一端の内径が該受け皿、該鉢植え台座よりも大きくしてなり、
該通気蓋は、植物が呼吸できるよう複数の小孔を設け、また該保護蓋の内環状辺に蓋をするべく底側より突出する嵌合リングを備えてなり、
該通気蓋を該底鉢外縁底部に嵌合し、水を注いだ後に該膨張物が水分を吸収して膨張することにより、該受け皿が該鉢植え台座と該展示物を伴って一挙に持ち上げられて該展示物を提示することを特徴とするディスプレイ容器。
【請求項２】
該膨張物は、水を吸収して膨張する高吸収性ポリマー等からなり、該高吸収性ポリマーとはポリアクリル酸、ポリビニルアルコール類、酢酸ビニル類、ポリアクリルアミド、ポリアクリレート、ポリアクリル酸カリウム、或いはこれらに類する物質の組み合わせによるものとすることを特徴とする請求項１記載のディスプレイ容器。
【請求項３】
該受け皿を該膨張物上方に設置すると共に保護蓋を透明とし、該受け皿本体外周をプリントやシール、絵柄などの表示面としたことを特徴とする請求項１記載のディスプレイ容器。
【請求項４】
該鉢植え台座には盤面を具有し、該盤面上には円形に配列される切欠口が設けられ、軽量化する他、内部には陥没した形状の嵌合部を設けることを特徴とする請求項１記載のディスプレイ容器。
【請求項５】
該展示物として宝飾品や植物等であって、植物である場合は鉢植えや生花等を含み、且つ該鉢植え台座上に植え付けられるものとし、該植物に養分を与えるべく土壌や栽培媒介物を設けてなり、宝飾品である場合には該鉢植え台座上に直接嵌設固定されることを特徴とする請求項１記載のディスプレイ容器。
【請求項６】
該保護蓋の外縁下端の内側に窄まった個所には螺旋が形成されて該底鉢上端の螺旋と螺設固定されることを特徴とする請求項１記載のディスプレイ容器。
【請求項７】
該保護蓋は、少なくとも一端が内径が該受け皿や該鉢植え台座よりも大きくして該受け皿と該鉢植え台座が昇降するのを妨げないものとし、該保護蓋の内径を形成する個所には耳を設けて開封の便を図ってなることを特徴とする請求項１記載のディスプレイ容器。
【請求項８】
該展示物と該鉢植え台座、並びに該膨張物を取り除くことにより筆立て等の収容容器を構成することを特徴とする請求項１記載のディスプレイ容器。
【考案の詳細な説明】
【技術分野】
【０００１】
本考案はディスプレイ容器に係り、特に植物や宝飾品等の展示物を装入し、内部に装入した膨張物に水を注ぐことで展示物の位置が高められて鑑賞できる構造を具有するディスプレイ容器に関わる。
【背景技術】
【０００２】
忙しい現代人の心を癒すもの、また贈り物として人々を感動させる物は多々あるが、最も一般的に用いられる物として、ミニ観葉植物等や宝飾品等が人気である。
【特許文献１】特開平１１−２５３０５２号公報
【考案の開示】
【考案が解決しようとする課題】
【０００３】
しかし、公知のミニ観葉植物等は、従来の鉢植えを小型化したに過ぎず、鑑賞には単調すぎ、受取った人を感動させるには物足りない感があり、また宝飾品においても同様で、宝飾品を入れる容器に変化が乏しいことが言える。
そこで鉢植えや宝飾品等を受取った人をより一層感動させるのに効果的なディスプレイを提供するべく本考案のディスプレイ容器を提供する。
【課題を解決するための手段】
【０００４】
底鉢、膨張物、受け皿、鉢植え台座、展示物、保護蓋、通気蓋、とより構成し、該受け皿内には植物や宝飾品等である該展示物を設置し、該受け皿の底部外側には該展示物の位置を高めるべく、注がれた水を吸収することで膨張する該膨張物を設け、また受取った人がより一層嬉しく感じるよう、該受け皿の外縁にはシール或いはプリントにより言葉や絵等である図柄を設ける他、使用後は該膨張物、展示物、鉢植え台座等を除いてきれいにすることで筆立てとして使用できるようにする。
【考案の効果】
【０００５】
本考案によると、言葉や絵等が設けられた容器内に装入した植物や宝飾品等が、水を注ぐことで位置を上昇して提示することによりディスプレイの目的が達成されると同時に、使用後も筆立て等として再利用できる等、簡単な構造でも送られる人に忘れられない感動を与える手段を提供する。
【考案を実施するための最良の形態】
【０００６】
図１から図３に示すように、本考案のディスプレイ容器は、受け皿内にてディスプレイしようとする植物等である物品を設け、底部に水を吸収することで膨張する膨張物を設置し、該膨張物に水を注ぐことで膨張させ、ディスプレイしようとする物品の位置を高めて鑑賞の目的を達成する。
円形の鉢形を呈した底鉢１には収容室を具有し、内側縁上部には螺旋２を形成し、該底鉢１の外側縁底部は内部に陥没した凹部３を具有する。
膨張物４においてはブロック状を呈し、該底鉢１内に均等に設置されるが、該膨張物４とは水を吸収することで膨張する高吸収性ポリマー（図４参照）等とするが、該高吸収性ポリマーとは具体的にポリアクリル酸、ポリビニルアルコール類、酢酸ビニル類、ポリアクリルアミド、ポリアクリレート、ポリアクリル酸カリウム等の組み合わせにより構成されるものとする。
受け皿５であるが、該膨張物４の上方に設置するものであり、且つ体積が該底鉢１の収容室より小さく、該膨張物４が吸水した後は持ち上げられる。また該受け皿５の底部には環状に間隔を開けて設置される数個の切欠口６が設けられる他、該受け皿５本体にはシール或いはプリントにより言葉や絵等の図柄７を設け（図５参照）、受取った者がより一層の嬉しさや喜びを感じられるようにする。
鉢植え台座８には盤面９を具有し、該盤面上には円形に配列した切欠口１０が形成されて外観の美しさを提供すると同時に軽量化を図る。また該鉢植え台座８は内部に陥没した嵌合部１１を具有し、これにより収容空間１２が形成され、該収納空間１２の壁面には切欠口１３が形成されて該収容空間１２と相通し、該鉢植え台座８の盤面９背面には該受け皿５を固定する固定嵌合部１４が形成される。
展示物１５においては宝飾品或いは植物等であり、植物である場合は即ち鉢植えや盆栽等であり、該鉢植え台座８上（図４，５参照）に設けられ、土壌や栽培媒介物１６に植込まれて植物に養分を提供するものとし、また宝飾品である場合には該鉢植え台座８上に直接設けられる。
保護蓋１７は二つの開口部を具有する透明の筒状を呈し、該保護蓋１７の外縁下端は内側に窄まった後に螺旋１８を形成しており、ちょうど該底鉢１上端の螺旋２に対応して螺設固定できるものになっている。また該保護蓋１７は少なくとも一端の内径が該受け皿５，鉢植え台座８よりも大きく、該受け皿５及び鉢植え台座８が内側で昇降するのに差し支えないようになっている。また該保護蓋１７のもう一端の開口内部は内環状辺２３とし、該保護蓋１７の構造を強化するが、該蓋１７は該内環状辺２３を形成する個所を変更し、開け易い耳付き蓋２４としてもよい（図７参照）。
通気蓋１９であるが、該保護蓋１７の内環状辺２３に蓋をすべく底側より突出する嵌合リング２０を設け、また該通気蓋１９には複数の小孔２１を設けて植物が呼吸できるようにする。
ディスプレイ容器２２（図４参照）は、該通気蓋１９を該底鉢１外縁底部の凹部３に嵌合して下敷きとして使用してもよく、該ディスプレイ容器２２には水を入れた後、該膨張物４が水分を吸収して直ちに膨張し、該受け皿５と該鉢植え台座８並びに展示物１５が一挙に持ち上げられ、使用者は美しい該展示物１５を感動と共に鑑賞することで身も心も癒されて活力の源となると同時に、言葉や絵等の図柄７で更に心地よく鑑賞する効果が提供される。
更に該ディスプレイ容器２２の展示物１５が不用になった後は、該受け皿５と鉢植え台座８及び展示物１５と膨張物４を取り除いてきれいにした後、残った空間を筆立て２５（図６参照）等として使用することができる。
【図面の簡単な説明】
【０００７】
【図１】本考案の分解図である。
【図２】本考案の組立て完成図である。
【図３】本考案の断面図である。
【図４】本考案において膨張物が水を吸収し、位置が高まる様子を示す図である。
【図５】本考案の図柄の部分に言葉を添えた様子を示す図である。
【図６】本考案を筆立てとして応用した実施例を示す図である。
【図７】本考案の保護蓋を耳付の蓋とした実施例を示す図である。
【符号の説明】
【０００８】
１  底鉢
２  螺旋
３  凹部
４  膨張物
５  受け皿
６  切欠口
７  図柄
８  鉢植え台座
９  盤面
１０  切欠口
１１  嵌合部
１２  収容空間
１３  切欠口
１４  固定嵌合部
１５  展示物
１６  土壌或いは栽培媒介物
１７  保護蓋
１８  螺旋
１９  通気蓋
２０  嵌合リング
２１  小孔
２２  ディスプレイ容器
２３  内環状辺
２４  耳付き蓋
２５  筆立て
【図１】
0003120311.tif 000003
【図２】
0003120311.tif 000004
【図３】
0003120311.tif 000005
【図４】
0003120311.tif 000006
【図５】
0003120311.tif 000007
【図６】
0003120311.tif 000008
【図７】
0003120311.tif 000009